(57)【要約】【課題】不使用時にコンパクトに収納可能な転倒防止用脚片を備えたパチンコ機の外枠を提供すること。【解決手段】底板と左右の側板と天板を組み合わせることにより縦長の四角形状に設けられたパチンコ機の外枠１において、底板１０の前面側及び後面側に切欠部１２を夫々形成し、その底板１０に固定された取付板５２に軸支されて横方向に回転自在とされた転倒防止用脚片５１を、不使用時に各々の切欠部１２に収納可能に設け、使用時に所定位置まで回転させた状態とすることにより、立てたままで置かれるパチンコ機の転倒防止をすることを可能とした。【選択図】  図６
2004223111.tif 000002
【特許請求の範囲】
【請求項１】
底板と左右の側板と天板を組み合わせることにより縦長の四角形状に設けられたパチンコ機の外枠において、
前記底板の前面側及び後面側に切欠部を夫々形成し、その底板に軸支されて横方向に回転自在とされた転倒防止用脚片を、不使用時に各々の切欠部に収納可能に設け、かつ、パチンコ機の転倒を防止するための使用時に所定位置まで回転させることができるように構成したことを特徴とするパチンコ機の外枠。
【請求項２】
前記切欠部を前記底板の左右位置に形成し、前記転倒防止用脚片を、不使用時に各々の切欠部に収納可能に設け、かつ、パチンコ機の転倒を防止するための使用時に所定位置まで回転させることができるように構成したことを特徴とする請求項１に記載のパチンコ機の外枠。
【請求項３】
前記転倒防止用脚片を横方向に回転自在に軸支した取付板が、前記底板に固定されていることを特徴とする請求項１又は２に記載のパチンコ機の外枠。
【発明の詳細な説明】
【０００１】
【発明の属する技術分野】
本発明は、パチンコ機の転倒防止機能を備えた外枠に関する。
【０００２】
【従来の技術】
パチンコ機は、製造段階から出荷を経てパチンコホールに設置されるまでの間に、立てた状態にて置いておかれることがあり、不意に何らかのものに接触することにより倒れてしまうことがあった。ところが、従来のパチンコ機では、そのような転倒を防止する工夫がなされていない。
【０００３】
【発明が解決しようとする課題】
パチンコ機の転倒により当該パチンコ機の部品が損傷した場合には、部品を交換しなければならず、時にはパチンコ機自体が壊れてしまうこともあった。かかるパチンコ機の転倒を防ぐために、外枠の奥行き方向の幅を大きくすることも考えられるところ、奥行き幅が大きければ、パチンコ機をパチンコホールの島に設置することができなくなる。
【０００４】
この発明の目的は、不使用時にコンパクトに収納可能な転倒防止用脚片を備えたパチンコ機の外枠を提供することにある。
【０００５】
【課題を解決するための手段】
前記目的を達成するために請求項１に記載した発明は、底板と左右の側板と天板を組み合わせることにより縦長の四角形状に設けられたパチンコ機の外枠において、前記底板の前面側及び後面側に切欠部を夫々形成し、その底板に軸支されて横方向に回転自在とされた転倒防止用脚片を、不使用時に各々の切欠部に収納可能に設け、かつ、パチンコ機の転倒を防止するための使用時に所定位置まで回転させることができるように構成したことを特徴とする。
【０００６】
同様の目的を達成するために請求項２に記載した発明は、請求項１に記載のパチンコ機の外枠において、前記切欠部を前記底板の左右位置に形成し、前記転倒防止用脚片を、不使用時に各々の切欠部に収納可能に設け、かつ、パチンコ機の転倒を防止するための使用時に所定位置まで夫々回転させることができるように構成したことを特徴とする。
【０００７】
同様の目的を達成するために請求項３に記載した発明は、請求項１又は２に記載のパチンコ機の外枠において、前記転倒防止用脚片を横方向に回転自在に軸支した取付板が、前記底板に固定されていることを特徴とするものである。
【０００８】
【発明の作用及び効果】
（請求項１の発明）
この外枠の転倒防止用脚片は、底板の切欠部に収められた位置から所定位置まで回転自在とされている。しかして、この外枠は、その転倒防止用脚片を所定位置まで回転させた使用状態において、立てたまま置かれるパチンコ機の転倒を防止することが可能となる。また、転倒防止用脚片を使用しない場合には、それを切欠部に収納してコンパクトにすることができるので、出荷時の梱包やパチンコホールでの設置に支障を生じない。
【０００９】
（請求項２の発明）
この外枠の転倒防止用脚片は、底板の前後左右に夫々設けられており、各切欠部に収められた位置から所定位置まで夫々回転自在とされている。しかして、この外枠は、それらの転倒防止用脚片を所定位置まで回転させた使用状態において、立てたまま置かれるパチンコ機の転倒をより確実に防止することが可能となる。
【００１０】
（請求項３の発明）
この外枠は、転倒防止用脚片を回転自在に軸支した取付板を、外枠の底板に固定する簡易な構成としているので、組み付け作業が容易であり、安価に製造することができる。
【００１１】
【発明の実施の形態】
以下に、本発明の実施の形態例を図面に基づいて説明する。図１は外枠の正面図、図２は外枠の分解斜視図、図３は底板と転倒防止用脚片ユニットを分離して示した斜視図、図４は転倒防止用脚片ユニットを分解して示す説明図、図５は転倒防止用脚片を切欠部に収納した不使用時の状態を示す説明図、図６は転倒防止用脚片を外方へ回転させた使用時の状態を示す説明図、図７は切欠部を他の形状とした底板と転倒防止用脚片ユニットを分離して示した斜視図、図８は図７に示す転倒防止用脚片の使用時と不使用時の状態を示す説明図である。
【００１２】
図１にはパチンコ機の外枠１を示す。この外枠１は、図２に示すように、底板１０と左右の側板２０，２５と天板３０及び幕板３５とからなり、底板１０と天板３０の側端部に夫々穿設されたホゾ溝１１，３１に、側板２０，２５の端部に夫々形成したホゾ２１，２６を嵌めて組み付けてから、図示しないビスにより締め付け固定することにより縦長の四角形状に設けられている。３６は補強金具、３７，３８は公知の枠部材（図示せず）を開閉可能に設けるための支持金具である。
【００１３】
前記底板１０には、前面側１０ａ及び後面側１０ｂの左右位置に、後記転倒防止用脚片の大きさに対応する大きさの切欠部１２を夫々形成する（図３）。
【００１４】
図３、図４において、５０は左右一組の転倒防止用脚片ユニットである。この脚片ユニット５０は、細長い角材形状の転倒防止用脚片５１，５１の上面に、固定用穴５３が穿設された帯板状の取付板５２を宛がって両者にネジ５５，５５を夫々通し、各々のネジ５５，５５にナット５６，５６を螺着することにより、それらの脚片５１，５１を横方向に回転自在に軸支する構造とされている。
【００１５】
上記転倒防止用脚片ユニット５０は、図２に示すように、左右側端部の上面に各々の取付板５２をビス５７により締め付け固定することにより取り付けられる。そして、各転倒防止用脚片５１は、底板１０の各々の切欠部１２に夫々収納可能に設けられると共に、約９０°の角度位置まで夫々回転することができるように設けられている。
【００１６】
上記底板１０の切欠部１２については、図７に示すように、横長形状の切欠部１２ａに設けることもできる。その他の構成については、前記転倒防止用脚片ユニット５０をそのまま適用するものとする。
【００１７】
つぎに、上記構成になる本発明の「パチンコ機の外枠１」の取り扱い方について述べる。
この外枠１は、図５に示すように、不使用時に転倒防止用脚片５１を底板１０に設けた切欠部１２に収納してコンパクトにすることができるので、パチンコ機の出荷時の梱包やパチンコホールでの設置に何ら支障を生じない。また、使用に際しては、図６に示すように、パチンコ機を立てた状態にて転倒防止用脚片５１を約９０°の角度位置まで回転させる。これにより、製造段階からパチンコホールに設置されるまでの間に立てて置かれたパチンコ機に何らかのものが触れた場合には、当該パチンコ機の転倒を防止することができる。
【００１８】
以上の通り、このパチンコ機の外枠は、不使用時にコンパクトに収納することができ、使用時に外方へ展開可能な転倒防止用脚片を備えているので、立てたままに置かれるパチンコ機の転倒を防止することができる利点を有する。
【図面の簡単な説明】
【図１】外枠の正面図
【図２】外枠の分解斜視図
【図３】底板と転倒防止用脚片ユニットを分離して示した斜視図
【図４】転倒防止用脚片ユニットを分解して示す説明図
【図５】転倒防止用脚片を切欠部に収納した不使用時の状態を示す説明図
【図６】転倒防止用脚片を外方へ回転させた使用時の状態を示す説明図
【図７】切欠部を他の形状とした底板と転倒防止用脚片ユニットを分離して示した斜視図
【図８】図７に示す転倒防止用脚片の使用時と不使用時の状態を示す説明
【符号の説明】
１・・・外枠
１０・・・底板
１０ａ・・・前面側  １０ｂ・・・後面側
１２、１２ａ・・・切欠部
２０，２５・・・側板
３０・・・天板
５０・・・転倒防止用脚片ユニット
５１・・・転倒防止用脚片
５２・・・取付板
【図１】
2004223111.tif 000003
【図２】
2004223111.tif 000004
【図３】
2004223111.tif 000005
【図４】
2004223111.tif 000006
【図５】
2004223111.tif 000007
【図６】
2004223111.tif 000008
【図７】
2004223111.tif 000009
【図８】
2004223111.tif 000010